(57)【特許請求の範囲】
【請求項１】
先側に対物レンズが取り付けられて後側からイメージガイドファイババンドルの先端部分が差し込まれた鏡筒が、先端部本体内のプリズムの後方位置に形成された鏡筒挿入孔に嵌挿固定された側方視型内視鏡の先端部であって、
上記対物レンズの軸線と上記イメージガイドファイババンドルの先端部分の軸線とが相対的に偏心して上記鏡筒に取り付けられ、上記鏡筒が軸線周りに回転自在に上記鏡筒挿入孔内に嵌挿されると共に、上記鏡筒を任意の角度回転させた位置で上記鏡筒挿入孔に固定することができる鏡筒固定手段が設けられたものにおいて、
上記鏡筒が部分的に外径を細めてその部分が薄肉に形成され、
上記鏡筒固定手段が尖り先ネジであって、その尖り先ネジの先端が、上記鏡筒の薄肉部の外面に側方から当接して上記鏡筒を押圧すると同時に上記鏡筒の薄肉部を変形させてその内側に位置する上記イメージガイドファイババンドルの先端部分をも押圧することを特徴とする側方視型内視鏡の先端部。
【請求項２】
上記イメージガイドファイババンドルの先端部分の軸線が上記鏡筒の軸線位置にある請求項１記載の側方視型内視鏡の先端部。
【請求項３】
上記対物レンズの軸線が上記鏡筒の軸線位置にある請求項１記載の側方視型内視鏡の先端部。
【発明の詳細な説明】
【０００１】
【発明の属する技術分野】
この発明は、観察方向が挿入部先端の側方を向いた側方視型内視鏡の先端部に関し、特に観察光軸が挿入部先端の９０°側方より少し前方又は後方に偏向した側方視型内視鏡の先端部に関する。
【０００２】
【従来の技術】
観察光軸が挿入部先端の９０°側方より少し前方又は後方に偏向した側方視型内視鏡においては、一般に、反射面の角度が４５°から少し偏角したプリズムを取り付けたり、対物レンズの軸線とイメージガイドファイババンドルの先端部分の軸線とを偏心させて鏡筒に取り付けることにより、観察範囲を偏向させている。
【０００３】
【発明が解決しようとする課題】
側方視型の内視鏡は一般に、処置具突出口が観察窓の横に並んで配置されていて、そこから突出される処置具の先端部分を観察しながら内視鏡的処置を行うようになっている。
【０００４】
したがって、処置具の先端部分を観察し易くする必要があるが、上述のような従来の側方視型内視鏡においては、観察光軸を左右方向に調整することができないので、組み立て時に光軸が処置具突出口側と反対方向にずれているときに修正がきかず、処置具が観察視野の周辺寄りにしか観察されずに使い難くなってしまう場合があった。
【０００５】
そこで本発明は、観察光軸を左右方向に微調整することができる側方視型内視鏡の先端部を提供することを目的とする。
【０００６】
【課題を解決するための手段】
上記の目的を達成するため、本発明の側方視型内視鏡の先端部は、先側に対物レンズが取り付けられて後側からイメージガイドファイババンドルの先端部分が取り付けられた鏡筒が、先端部本体内のプリズムの後方位置に形成された鏡筒挿入孔に嵌挿固定された側方視型内視鏡の先端部において、対物レンズの軸線とイメージガイドファイババンドルの先端部分の軸線とを相対的に偏心させて鏡筒に取り付け、鏡筒を軸線周りに回転自在に鏡筒挿入孔内に嵌挿すると共に、鏡筒を任意の角度回転させた位置で鏡筒挿入孔に固定することができる鏡筒固定手段を設けたものである。
【０００７】
なお、イメージガイドファイババンドルの先端部分の軸線が鏡筒の軸線位置にあってもよく、或いは、対物レンズの軸線が鏡筒の軸線位置にあってもよい。
【０００８】
【発明の実施の形態】
図面を参照して本発明の実施の形態を説明する。
図２は側方視型内視鏡の挿入部の先端部分の平面図、図１はそのＩ−Ｉ断面図である。
【０００９】
挿入部の先端に配置された先端部本体１には、側面に観察窓３と照明窓４が直列に配置されて、その横に並んで処置具突出口８が配置され、それら以外の部分は電気絶縁性の先端キャップ２により外装されている。９は、処置具突出口８から突出する処置具の先端部分（図示せず）を起上させるための処置具起上台である。
【００１０】
照明窓４には凹レンズからなるカバーレンズ６が水密に接合されており、その裏面に対向して、照明用ライトガイドファイババンドル７の射出端面が配置されている。
【００１１】
観察窓３には、凹レンズからなる対物第一レンズ１１が水密に接合されており、その裏面にはマスク１２と直角ダハプリズム１３が接合されている。直角ダハプリズム１３は反射角度が４５°のものである。
【００１２】
直角ダハプリズム１３の後端面に面して、断面形状が正円形の鏡筒挿入孔１０が先端部本体１に穿設されている。鏡筒挿入孔１０は先端部本体１の軸線と平行に形成されており、先端部本体１の後端面に開口している。
【００１３】
鏡筒挿入孔１０内には、外面形状が正円形の鏡筒１４が軸線周りに回転自在に挿通されて、後述する固定ネジ２２により固定されている。
鏡筒１４には、前側と後側から対物レンズ収容孔１５ａとイメージガイド取付孔１５ｂとが、相対的に偏心して形成されている。この実施の形態においては、鏡筒１４の外周に対してイメージガイド取付孔１５ｂは同軸であり、対物レンズ収容孔１５ａは観察窓３から遠ざかる方向に偏心している。
【００１４】
対物レンズ収容孔１５ａ内には、後群対物レンズ１６が取り付けられている。この実施の形態では、後群対物レンズ１６は三枚のレンズからなり、それらが対物レンズ枠１７に固着されて、軸線（光軸）が対物レンズ収容孔１５ａの軸線と一致する状態に固着されている。
【００１５】
イメージガイド取付孔１５ｂには、イメージガイドファイババンドル２０の像入射端部が取り付けられている。イメージガイドファイババンドル２０の像入射端部には断面形状が正円形のイメージガイド先端口金２０ａが取り付けられており、そのイメージガイド先端口金２０ａがイメージガイド取付孔１５ｂに対して軸線が一致する状態に嵌挿されている。
【００１６】
したがって、後群対物レンズ１６の軸線とイメージガイドファイババンドル２０の軸線との偏心により、観察窓３の前方の観察光軸１００は９０°側方より僅かに後方向きになり、この対物光学系は僅かに後方斜視になった側方視である。
【００１７】
図１に示されるIII−III部分では、その断面図である図３にも示されるように、鏡筒１４が外径を細められて薄肉に形成されている。そしてその部分に、側方から先端部本体１のネジ孔にねじ込まれた尖り先ネジからなる固定ネジ２２の先端が当接して、鏡筒１４を押圧すると同時に、鏡筒１４の薄肉部を変形させてイメージガイド先端口金２０ａをも押圧している。
【００１８】
このような構成により、固定ネジ２２を締め込むことにより鏡筒１４とイメージガイド先端口金２０ａとが一緒に先端部本体１に固定された状態になり、固定ネジ２２を緩めれば、先端部本体１に対して鏡筒１４が自由になる。また、それと同時にイメージガイド先端口金２０ａが鏡筒１４に対して自由になる。
【００１９】
したがって、観察光軸１００が左右方向にずれている場合には、固定ネジ２２を緩めて鏡筒１４を任意の角度回転させることにより後群対物レンズ１６の軸線が左右に偏位するので、イメージガイドファイババンドル２０の端面に投影される被写体位置が左右にずれて、観察光軸１００を左右方向に微調整することができ、そこで固定ネジ２２を締め付け固定すればよい。
【００２０】
図４は、本発明の第２の実施の形態の側方視型内視鏡の先端部を示しており、鏡筒１４の前側に形成された対物レンズ収容孔１５ａを鏡筒１４の外周に対して同軸に形成し、鏡筒１４の後側に形成されたイメージガイド取付孔１５ｂを観察窓３に近づく方向に偏心して形成したものである。
【００２１】
固定ネジ２２による押圧固定部においては、Ｖ−Ｖ断面を示す図５に示されるように、固定ネジ２２の先端が押し付けられる鏡筒１４の側面が切り削がれて薄肉に形成されている。その他の構成は上述の第１の実施の形態と同じである。
【００２２】
このような構成により、観察光軸１００が左右方向にずれている場合には、固定ネジ２２を緩めて鏡筒１４を任意の角度回転させることによりイメージガイド先端口金２０ａが左右方向に偏位するので、イメージガイドファイババンドル２０の端面に投影される被写体位置が左右にずれて、観察光軸１００を左右方向に微調整することができ、そこで固定ネジ２２を締め付け固定すればよい。
【００２３】
なお、本発明は上記実施の形態に限定されるものではなく、例えば、対物光学系として僅かに前方斜視の側方視光学系が組み込まれた内視鏡の先端部に本発明を適用してもよい。
【００２４】
【発明の効果】
本発明によれば、対物レンズの軸線とイメージガイドファイババンドルの先端部分の軸線とを相対的に偏心させて鏡筒に取り付け、鏡筒を軸線周りに回転自在に鏡筒挿入孔内に嵌挿すると共に、鏡筒を任意の角度回転させた位置で鏡筒挿入孔に固定することができる鏡筒固定手段を設けたことにより、観察光軸が左右方向にずれている場合には、鏡筒を回転させるだけで観察光軸の左右方向のずれを容易に微調整することができる。
【図面の簡単な説明】
【図１】本発明の第１の実施の形態の側方視型内視鏡の先端部の図２におけるＩ−Ｉ断面図である。
【図２】本発明の第１の実施の形態の側方視型内視鏡の先端部の平面図である。
【図３】本発明の第１の実施の形態の図１におけるIII−III断面図である。
【図４】本発明の第２の実施の形態の側方視型内視鏡の先端部の側面断面図である。
【図５】本発明の第２の実施の形態の図４におけるＶ−Ｖ断面図である。
【符号の説明】
１  先端部本体
１０  鏡筒挿入孔
１３  直角ダハプリズム
１４  鏡筒
１５ａ  対物レンズ収容孔
１５ｂ  イメージガイド取付孔
１６  後群対物レンズ
２０  イメージガイドファイババンドル
２０ａ  イメージガイド先端口金
２２  固定ネジ（鏡筒固定手段）
【図１】
0004441030.tif 000002
【図２】
0004441030.tif 000003
【図３】
0004441030.tif 000004
【図４】
0004441030.tif 000005
【図５】
0004441030.tif 000006